(57)【要約】【課題】電源をオンする操作を受け付けていない状態において撮像ができる状態で待機するために消費する端末電力を抑えること。【解決手段】光学系を介して入射する光学像から画像データを生成する撮像素子を備える撮像部と、近距離通信を行う他の通信装置から近距離通信により送信される情報を受信する近距離通信部と、前記近距離通信部が受信した信号に基づき、操作部を介して電源をオンする操作を受け付けていない状態において前記撮像部を起動するか否かを判定し、前記撮像部を起動すると判定した場合、前記撮像部を起動する制御部と、を備える。【選択図】図１
2013021642.tif 000002
【特許請求の範囲】
【請求項１】
光学系を介して入射する光学像から画像データを生成する撮像素子を備える撮像部と、
近距離通信を行う他の通信装置から近距離通信により送信される情報を受信する近距離通信部と、
前記近距離通信部が受信した信号に基づき、操作部を介して電源をオンする操作を受け付けていない状態において前記撮像部を起動するか否かを判定し、前記撮像部を起動すると判定した場合、前記撮像部を起動する制御部と、
を備えることを特徴とする携帯端末。
【請求項２】
前記制御部は、
前記撮像部を起動した状態において、前記操作部を介して前記携帯端末の電源をオンする操作を受け付けた場合、前記携帯端末の電源を投入し、前記撮像部によって生成された前記画像データに基づく画像を表示部に表示させることを特徴とする請求項１に記載の携帯端末。
【請求項３】
前記制御部は、
前記撮像部を起動すると判定した場合、前記撮像部に前記画像データを生成させるための構成部を動作させることを特徴とする請求項１あるいは２に記載の携帯端末。
【請求項４】
前記制御部は、
前記操作部を介して電源をオンする操作を受け付けていない状態において、当該携帯端末の電源をオフする操作を受け付けた場合、前記近距離通信部が受信した信号に基づき、前記操作部を介して電源をオンする操作を受け付けていない状態において前記撮像部を起動するか否かを判定し、前記撮像部を起動すると判定した場合、少なくとも前記撮像部の起動状態を維持させることを特徴とする請求項１から３のうちいずれか一項に記載の携帯端末。
【請求項５】
前記他の通信装置は、撮像機能を備え、
前記制御部は、
前記他の通信装置から送信される情報を受信した場合、前記他の通信装置が撮像機能を実行可能な状態であるか否かを判定し、前記他の通信装置が撮像機能を実行可能な状態であると判定した場合、前記撮像部を起動すると判定することを特徴とする請求項１から４のうちいずれか一項に記載の携帯端末。
【請求項６】
近距離通信を行う他の通信装置から近距離通信により送信される情報を受信するステップと、
近距離通信により受信した信号に基づき、操作部を介して電源をオンする指示が操作されていない状態において撮像部を起動するか否かを判定し、前記撮像部を起動すると判定した場合、前記撮像部を起動するステップと
を備えることを特徴とする起動制御方法。
【請求項７】
コンピュータを、
近距離通信を行う他の通信装置から近距離通信により送信される情報を受信する手段、
近距離通信により受信した信号に基づき、操作部を介して電源をオンする指示が操作されていない状態において撮像部を起動するか否かを判定し、前記撮像部を起動すると判定した場合、前記撮像部を起動する手段、
として機能させるためのプログラム。
【発明の詳細な説明】
【技術分野】
【０００１】
本発明は、携帯端末、撮像部起動方法、およびプログラムに関する。
【背景技術】
【０００２】
一般的なデジタルカメラでは、電源オフの状態から電源オンの状態に立ち上げて、実際に撮影が可能な状態になるまでに、一定の時間（数秒）を要する。これは、撮影が可能な状態になるまでには、カメラハードの電源の立ち上げや、パラメータの設定等の処理を実行する時間を要するためである。
例えば、カメラに搭載された加速度センサーの出力に基づき、ユーザがカメラを携帯しているか否かを判定し、ユーザがカメラを携帯している場合、電源がオンされていない状態において、すぐにカメラ撮影ができるホットスタンバイ状態に設定するものがある（例えば、特許文献１参照）。このカメラは、ユーザが携帯していないと判定した場合、節電優先のスタンバイ状態にして、ホットスタンバイ状態に比べて消費電力を抑える。一方、携帯していると判定した場合、起動時間優先のホットスタンバイ状態にして、ユーザが電源をオンしたときからカメラ撮影まで時間を短縮することができる。
【先行技術文献】
【特許文献】
【０００３】
【特許文献１】特開２００７−１１０３６４号公報
【発明の概要】
【発明が解決しようとする課題】
【０００４】
しかしながら、特許文献１では、ユーザがカメラを携帯している場合、常時、ホットスタンバイ状態になってしまうため、電力の消耗が激しく、ユーザがカメラを使用したい場合に、充電がきれてしまうという問題があった。
【０００５】
本発明は、上記の事情を考慮してなされたものであり、電源をオンする操作を受け付けていない状態において撮像ができる状態で待機するために消費する端末電力を抑えることができる携帯端末、撮像部起動方法、およびプログラムを提供することを目的とする。
【課題を解決するための手段】
【０００６】
この発明は上述した課題を解決するためになされたもので、本発明の一態様による携帯端末は、光学系を介して入射する光学像から画像データを生成する撮像素子を備える撮像部と、近距離通信を行う他の通信装置から近距離通信により送信される情報を受信する近距離通信部と、前記近距離通信部が受信した信号に基づき、操作部を介して電源をオンする操作を受け付けていない状態において前記撮像部を起動するか否かを判定し、前記撮像部を起動すると判定した場合、前記撮像部を起動する制御部と、を備える。
【０００７】
この発明は上述した課題を解決するためになされたもので、本発明の一態様による起動制御方法は、近距離通信を行う他の通信装置から近距離通信により送信される情報を受信するステップと、近距離通信により受信した信号に基づき、操作部を介して電源をオンする指示が操作されていない状態において撮像部を起動するか否かを判定し、前記撮像部を起動すると判定した場合、前記撮像部を起動するステップとを備える。
【０００８】
この発明は上述した課題を解決するためになされたもので、本発明の一態様によるプログラムは、コンピュータを、近距離通信を行う他の通信装置から近距離通信により送信される情報を受信する手段、近距離通信により受信した信号に基づき、操作部を介して電源をオンする指示が操作されていない状態において撮像部を起動するか否かを判定し、前記撮像部を起動すると判定した場合、前記撮像部を起動する手段、として機能させるためのプログラムである。
【発明の効果】
【０００９】
本発明によれば、電源がオンされていない状態における端末の電力の消費を抑えることができる。
【図面の簡単な説明】
【００１０】
【図１】本発明の一実施形態に係る携帯端末の概略構成の一例を示す図である。
【図２】本発明の一実施形態に係る携帯端末の処理動作の一例について説明するための図である。
【図３】本発明の一実施形態に係る携帯端末の状態遷移の一例について説明するための図である。
【図４】本発明の一実施形態に係る携帯端末の構成の一例を示す図である。
【図５】本発明の一実施形態に係る携帯端末装置が省電力モードあるいは他端末検出モードで動作する場合の処理フローについて説明するためのフローチャートである。
【図６】本発明の一実施形態に係る携帯端末がスタンバイモードで動作する場合の処理フローについて説明するためのフローチャートである。
【図７】本発明の一実施形態に係る携帯端末が撮像モードで動作する場合の処理フローについて説明するためのフローチャートである。
【発明を実施するための形態】
【００１１】
［第１実施形態］
以下、図面を参照して本発明の一実施形態について説明する。図１は、本発明の一実施形態に係る携帯端末の概要について説明するための図である。なお、本実施形態において、携帯端末がデジタルカメラである例について、以下説明する。しかし、本発明はこれに限られず、携帯電話端末、スマートフォン、携帯ゲーム機、タブレット型ＰＣ（Ｐｅｒｓｏｎａｌ  Ｃｏｍｐｕｔｅｒ）、あるいは、ノート型ＰＣ等であってもよい。
【００１２】
図１に示す通り、本実施形態に係るカメラ１は、撮像部１０１と、近距離通信部１０２と、制御部１０３とを備える。
このカメラ１の撮像部１０１は、例えば、ユーザから電源スイッチが押下され、カメラ１の電源をオンする指示があった場合、つまり、カメラ１の電源がオンされている状態において、被写体を撮像し、光学像から画像データを生成する。
また、カメラ１の近距離通信部１０２は、例えば、カメラの電源をオンする指示がない状態、つまり、カメラの電源がオンされていない状態において、近距離通信の通信エリアにある他の通信装置２と近距離通信を行う。なお、カメラの電源がオンされていない状態とは、例えば、ユーザが電源スイッチを押下して電源オンを指示する前の状態である。
この近距離通信部１０２は、他の通信装置２が送信する信号を受信し、制御部１０３に出力する。この制御部１０３は、他の通信装置２から受信する信号に基づき、カメラの電源がオンされていない状態において撮像の準備処理を実行するか否かを判定する。そして、撮像の準備処理を実行すると判定した場合、カメラ１は、カメラの電源がオンされていない状態のまま撮像の準備処理を実行する。なお、本実施形態において、撮像の準備処理を実行する際、ユーザからは電源をオンする指示がなされていないため、見かけ上は、電源がオフしている状態である。しかし実質的には、カメラ１の撮像の準備処理を実行するための構成は起動している。詳細については、図３を参照して状態遷移について説明する際に、詳細に説明する。
【００１３】
このように、カメラ１は、カメラの電源がオンされていない状態（言い換えると、ユーザから電源スイッチが押下されカメラ１の電源をオンする指示がなく、見かけ上電源がオフの状態）において、撮像の準備処理を実行する。これにより、例えば、ユーザが電源スイッチを押下して、カメラ１の電源をオンする指示があったときから、撮像が可能な状態になるまでの時間を短縮することができる。本実施形態において、撮像の準備処理は、ユーザがシャッターボタンを押下して、撮像の指示があった場合に、撮像部１０１が被写体を撮像して画像データを生成することが可能な状態でカメラ１を待機させる処理である。この撮像の準備処理は、例えば、撮像部１０１を起動する電源起動準備処理と、撮像部１０１が撮像指示により被写体を撮像するための各種パラメータ等を設定したり光学系の位置を調整したりする撮像設定準備処理とを含む。なお、本発明に係るカメラ１は、これに限られず、少なくとも撮像部１０１を起動させる電源起動準備処理を撮像の準備処理として実行する。また、本発明に係るカメラ１は、撮像部１０１が撮像指示により被写体を撮像するための撮像設定準備処理を実行することが好ましい。
【００１４】
次に、図２を参照して、本実施形態に係るカメラ１の処理動作について説明する。図２は、本実施形態に係るカメラ１の処理動作について説明するための図である。本実施形態においては、他の通信装置２が、デジタルカメラであって、カメラ１と同様の構成を有する他のカメラ２である場合について、以下説明する。しかし、本発明はこれに限られず、他の通信装置２は、携帯電話端末、スマートフォン、携帯ゲーム機、タブレット型ＰＣ（Ｐｅｒｓｏｎａｌ  Ｃｏｍｐｕｔｅｒ）、あるいは、ノート型ＰＣ等であってもよい。
カメラ１の制御部１０３は、他のカメラ２から受信する信号に基づき、カメラ１が撮像エリアに存在しているか否かを判定し、カメラ１が撮像エリア内に存在している場合に、撮像の準備処理を実行することを判定する。なお、撮像エリアとは、ユーザがカメラ１により被写体を撮像する可能性の高いエリアである。ここでは、他のカメラ２の電源が起動している状態であって撮像モードに設定されている場合、他のカメラ２のユーザが撮像したい被写体の近くに存在し、他のカメラ２を撮像モードで電源をオン状態にしていると推定される。例えば、観光地の撮影スポット等では、カメラを持っている多くの人が、風景や建築物（図示の例では、風車）を撮像したいと考える。このように、近くのカメラ２が起動して撮像可能な状態にある場合、カメラ１を所持するユーザも、これら風景や建築物を撮像する可能性が高い。
本実施形態において、電源がオンの状態であって撮像モードに設定されているカメラ２の近距離通信の通信エリア内が、撮像エリア内であると規定されている。カメラ１は、カメラ２からの近距離通信による通信信号に基づき、撮像エリア内に存在しているか否かを判定する。
【００１５】
本実施形態に係るカメラ１は、例えば、電源がオンされていない状態において、他のカメラ２の近距離通信の通信エリア内に入ると、カメラ２から近距離通信による信号を受信し、撮像の準備処理を実行するか否かを判定する。撮像の準備処理を実行すると判定した場合、カメラ１は、電源がオンされていない状態（ユーザから電源スイッチが押下されることによるカメラ１の電源をオンする指示がない状態）から、撮像の準備処理を実行するスタンバイ状態に遷移する。なお、本実施形態において、スタンバイ状態は、カメラ１内では撮像の準備処理を実行するための構成が起動しているが、見かけ上、電源がオフの状態と変わらない状態である。
【００１６】
次に、図３を参照して、本実施形態に係るカメラ１の状態遷移の一例について説明する。図３は、本実施形態に係るカメラ１の状態遷移の一例を示す図である。
図３に示す通り、カメラ１は、電源オフ状態Ａと、省電力状態Ｂと、他端末検出状態Ｃと、スタンバイ状態Ｄと、電源オン状態Ｅと、遷移する。なお、省電力状態Ｂと、他端末検出状態Ｃと、スタンバイ状態Ｄとは、電源がオンされていない状態であって、見かけ上、電源がオフの状態である。このカメラ１は、電源オン状態Ｅにおいて、電源のオフが指示された場合、電源オフ状態Ａに遷移するか、あるいは、省電力状態Ｂに遷移するかが予め設定されている。この設定（以下、電源オフ処理設定）は、例えば、ユーザが選択し、カメラ１内のメモリに登録することができる。
また、本実施形態において、カメラ１は、メモリに登録されているプログラムを実行することで、予め決められた動作モードに従って動作する。なお、カメラ１は、予め決められたそれぞれの動作モードに従って動作している状態が、上述の状態Ａ〜Ｅである。例えば、カメラ１は、省電力モードＭ２に従って動作し、この状態が省電力状態Ｂである。また、カメラ１は、他端末検出モードＭ３に従って動作し、この状態が他端末検出状態Ｃである。さらに、カメラ１は、スタンバイモードＭ４に従って動作し、この状態がスタンバイ状態Ｄである。さらにまた、カメラ１は、電源オン状態Ｅにおいて、撮像モードＭ５に従って動作する。
【００１７】
電源オフ状態Ａは、カメラ１の電源がオフの状態であり、例えば、電源スイッチが押下されて電源オフがユーザから指示された後の状態である。電源オフ状態Ａに遷移することが電源オフ処理設定として登録されている場合、電源のオフが指示されると、カメラ１の動作状態は、電源オン状態Ｅから電源オフ状態Ａに遷移する。この状態遷移を、図３において（１）の矢印で示す。
【００１８】
省電力状態Ｂは、カメラ１が省電力モードＭ２に従って動作している状態である。この省電力状態Ｂは、スタンバイ状態Ｄよりも消費電力を抑えて省電力モードＭ２に従って動作する最低限の構成部に電力を供給して動作している状態である。省電力状態Ｂに遷移することが電源オフ処理設定として登録されている場合、電源のオフが指示されると、カメラ１は、電源オン状態Ｅから省電力状態Ｂに遷移する。この状態遷移を、図３において（２）の矢印で示す。本実施形態において、省電力モードＭ２とは、カメラ１の動作状態を定期的に他端末検出状態Ｃにするための動作部に電力を供給し、動作させる動作モードである。
このカメラ１の制御部１０３は、省電力状態Ｂにおいて、例えば、定期的に、他端末検出モードＭ３を実行する。これにより、カメラ１の動作状態は、一定時間間隔ごとに、省電力状態Ｂから他端末検出状態Ｃに遷移する。この状態遷移を、図３において（３）の矢印で示す。つまり、カメラ１の制御部１０３は、他端末検出モードＭ３を実行する定期的なタイミングとして予め決められている実行タイミングに到達したか否かを判定し、実行タイミングに到達したと判定した場合、他端末検出モードＭ３を実行する。
【００１９】
他端末検出状態Ｃは、カメラ１が他端末検出モードＭ３で動作している状態である。他端末検出モードＭ３とは、他のカメラ２の近距離通信の通信エリア内にカメラ１が入っているか否かを判定し、他のカメラ２の近距離通信の通信エリア内にカメラ１が入っていると判定した場合、動作モードをスタンバイモードＭ４に変更する動作モードである。これにより、カメラ１の動作状態は、他端末検出状態Ｃからスタンバイ状態Ｄに遷移する。この状態遷移を、図３において（４）の矢印で示す。一方、カメラ１は、他端末検出状態Ｃにおいて、他のカメラ２の近距離通信の通信エリア内に入っていないと判定した場合、カメラ１の動作状態は、他端末検出状態Ｃから省電力状態Ｂに遷移する。この状態遷移を、図３において（５）の矢印で示す。
【００２０】
スタンバイ状態Ｄは、カメラ１が撮像の準備処理を実行するスタンバイモードＭ４で動作している状態である。スタンバイモードＭ４とは、電源がオンされていない状態において撮像の準備処理を実行する動作モードである。カメラ１は、スタンバイ状態Ｄにおいて、ユーザによって電源スイッチが押下され、電源をオンする指示が入力された場合、カメラ１の動作状態は電源オン状態Ｅに遷移する。この状態遷移を、図３において（６）の矢印で示す。一方、スタンバイ状態Ｄにおいて、カメラ１は、他のカメラ２の近距離通信の通信エリア内にカメラ１が入っているか否かを判定する。他のカメラ２の近距離通信の通信エリア内にカメラ１が入っていないと判定した場合、カメラ１の動作状態は省電力状態Ｂに遷移する。この状態遷移を、図３において（７）の矢印で示す。
【００２１】
電源オン状態Ｅは、ユーザによって電源スイッチが押下され、電源をオンする指示が入力されることにより、カメラ１の全体の電源が起動している状態である。電源オン状態Ｅでは、カメラ１は、例えば、撮像モードＭ５に従って、表示部にカメラビューの画像データに基づく画像を表示させる等のカメラ１を撮像可能な状態にするとともに、カメラ１の電源がオンの状態であって動作モードが撮像モードＭ５に設定されていることを示す撮像状態通知信号を近距離通信により配信する。
また、カメラ１は、電源オン状態Ｅにおいて、ユーザによって電源スイッチが押下され、電源をオフする指示が入力されることにより、他のカメラ２の近距離通信の通信エリア内にカメラ１が入っているか否かを判定する。他のカメラ２の近距離通信の通信エリア内にカメラ１が入っていると判定した場合、カメラ１の動作状態は、電源オン状態Ｅからスタンバイ状態Ｄに遷移する。この状態遷移を、図３において（８）の矢印で示す。
【００２２】
一方、他のカメラ２の近距離通信の通信エリア内に入っていないと判定した場合、カメラ１は、電源オフ処理設定を参照して、電源オフ処理設定として電源オフ状態Ａに遷移することが予め設定されている場合、電源オン状態Ｅから電源オフ状態Ａに遷移する。この状態遷移を、図３において（１）の矢印で示す。一方、電源オフ処理設定として省電力状態Ｂに遷移することが予め設定されている場合、カメラ１は、電源オン状態Ｅから省電力状態Ｂに遷移する。この状態遷移を、図３において（２）の矢印で示す。
なお、電源オフ状態Ａにおいて、電源スイッチが押下され、ユーザから電源をオンする指示が入力された場合、電源オフ状態Ａから電源オン状態Ｅに遷移する。この状態遷移を、図３において（９）の矢印で示す。また、省電力状態Ｂにおいて、電源スイッチが押下され、ユーザから電源をオンする指示が入力された場合、省電力状態Ｂから電源オン状態Ｅに遷移する。この状態遷移を、図３において（１０）の矢印で示す。
【００２３】
次に、図４を参照して、カメラ１の構成の一例について説明する。図４は、カメラ１の構成の一例を示すブロック図である。
図４に示す通り、カメラ１は、上述の撮像部１０１と、近距離通信部１０２と、制御部１０３とに加え、操作部１０４と、画像処理部１０５と、ワークメモリ部１０６と、記録用メモリ１０７と、表示部１０８と、圧縮処理部１０９と、伸長処理部１１０と、リサイズ処理部１１１と、電源部１１２と、計時部１１３と、制御用メモリ１１４とを備える。
【００２４】
撮像部１０１は、光学系１０１ａと、光学系１０１ａを介して入射する光学像から画像データを生成する撮像素子１０１ｂと、撮像素子１０１ｂから出力される画像データのアナログ信号をデジタル信号に変換し、画像データのデジタル信号を出力するＡ/Ｄ変換部１０１ｃとを備える。
【００２５】
近距離通信部１０２は、近距離通信を行う通信エリア内に存在する他のカメラ２から送信される信号を受信する。この近距離通信部１０２は、カメラ１の電源がオンされていない状態においても、他のカメラ２から信号を受信する。本実施形態において、近距離通信部１０２は、省電力モードＭ２と他端末検出モードＭ３において、電源部１１２からの電力の供給を受けて、近距離通信による通信信号の受信待ち状態となる。本実施形態において、近距離通信は、例えば、無線ＬＡＮや、Ｂｕｌｅｔｏｏｔｈ等を利用することができる。
なお、本実施形態において、近距離通信部１０２は、他のカメラ２の近距離通信の通信エリア内にカメラ１が存在する場合、他のカメラ２から送信される近距離通信による通信信号を受信する。他のカメラ２は、カメラ２の電源がオンの状態であって動作モードが撮像モードＭ５に設定されている場合、この状態（以下、撮像状態）であることを示す撮像状態通知信号を送信する。
【００２６】
制御部１０３は、近距離通信部１０２が受信した信号が入力される。この制御部１０３は、動作モード切替部１３１と、通信制御部１３２と、動作制御部１３３と、判定部１３４と、表示制御部１３５と、撮像モード通知部１３６と、撮像制御部１３７と、を備える。
【００２７】
動作モード切替部１３１は、カメラ１の動作モードを切り換える。この動作モード切替部１３１は、省電力モードＭ２、他端末検出モードＭ３、スタンバイモードＭ４、あるいは、撮像モードＭ５等のうち、カメラ１の動作モードを決定し、決定した動作モードを制御用メモリ１１４に登録する。
【００２８】
動作モード切替部１３１は、例えば、省電力モードＭ２において、予め決められた他端末検出モードＭ３の実行タイミングに到達したか否かを判定する。この実行タイミングに到達したと判定した場合、動作モード切替部１３１は、制御用メモリ１１４に登録されている動作モードを、他端末検出モードＭ３に切り換える。この動作モード切替部１３１は、例えば、電源スイッチが押下され省電力モードＭ２となったタイミングから一定時間が経過した場合、あるいは、前回の他端末検出モードＭ３の実行タイミングから一定期間が経過した場合、他端末検出モードＭ３の実行タイミングに到達したと判定する。これは、図３に示した状態遷移（３）に相当する。
また、動作モード切替部１３１は、他端末検出モードＭ３において、近距離通信部１０２を介して通信信号を受信したか否かを判定する。一定時間内に通信信号を受信しない場合、動作モード切替部１３１は、制御用メモリ１１４に登録されている動作モードを、省電力モードＭ２に切り換える。これは、図３に示した状態遷移（５）に相当する。
【００２９】
さらに、動作モード切替部１３１は、他端末検出モードＭ３において、判定部１３４により撮像の準備処理を実行すると判定された場合、制御用メモリ１１４に登録されている動作モードを、スタンバイモードＭ４に切り換える。これは、図３に示した状態遷移（４）に相当する。
【００３０】
また、動作モード切替部１３１は、スタンバイモードＭ４において、電源スイッチ１４１が押下された場合、制御用メモリ１１４に登録されている動作モードを、撮像モードＭ５に切り換える。これは、図３に示した状態遷移（６）に相当する。
さらに、動作モード切替部１３１は、撮像モードＭ５において、一定時間内に、シャッターボタン１４２が押下されなかった場合、制御用メモリ１１４に登録されている動作モードを、スタンバイモードＭ４に切り換える。これは、図３に示した状態遷移（８）に相当する。
【００３１】
また、動作モード切替部１３１は、スタンバイモードＭ４において、他のカメラ２の近距離通信の通信エリア内にカメラ１が入っているか否かを判定する。他のカメラ２の近距離通信の通信エリア内にカメラ１が入っていないと判定した場合、動作モード切替部１３１は、制御用メモリ１１４に登録されている動作モードを、省電力モードＭ２に切り換える。これは、図３に示した状態遷移（７）に相当する。
さらに、動作モード切替部１３１は、撮像モードＭ５において、電源スイッチ１４１が押下された場合、制御用メモリ１１４に登録されている動作モードを、省電力モードＭ２に切り換える。これは、図３に示した状態遷移（２）に相当する。
また、動作モード切替部１３１は、例えば、撮像モードＭ５において、電源スイッチ１４１が押下された場合、起動している各動作部を停止させる。これは、図３に示した状態遷移（１）に相当する。
さらに、動作モード切替部１３１は、電源オフ状態Ａにおいて、電源スイッチ１４１が押下された場合、例えば、撮像モードＭ５に従って動作する。これは、図３に示した状態遷移（９）に相当する。
また、動作モード切替部１３１は、省電力モードＭ２において、電源スイッチ１４１が押下された場合、制御用メモリ１１４に登録されている動作モードを、撮像モードＭ５に切り換える。これは、図３に示した状態遷移（１０）に相当する。
【００３２】
通信制御部１３２は、近距離通信部１０２に対して、近距離通信の制御を行う。この通信制御部１３２は、例えば電源スイッチ１４１が押下されて、動作モードが撮像モードＭ５に切り替えられた場合、近距離通信部１０２を起動し、近距離通信による通信信号を送信するよう近距離通信部１０２を制御する。また、通信制御部１３２は、他端末検出モードＭ３およびスタンバイモードＭ４においても、近距離通信による通信信号を受信するよう近距離通信部１０２を制御する。通信制御部１３２は、近距離通信部１０２から入力する信号を判定部１３４に出力する。
さらに、通信制御部１３２は、他端末検出モードＭ３において、判定部１３４により撮像の準備処理を実行しないと判定された場合、この判定結果に基づき、近距離通信部１０２の処理動作を終了させ、電源部１１２から近距離通信部１０２への電力供給を停止させる。
【００３３】
動作制御部１３３は、動作モード切替部１３１によって決定された動作モードに従って、カメラ１を制御する。
この動作制御部１３３は、例えば、省電力モードＭ２に従って、動作モード切替部１３１が他端末検出モードＭ３を実行するタイミングを判定するための構成部を起動させる。具体的にいうと、動作制御部１３３は、少なくとも、計時部１１３によって計時される時刻情報に基づき、動作モード切替部１３１が実行タイミングを判定する動作処理を実行するよう制御し、電力部１１２から電力を供給する。なお、それ以外の構成部に対しては、省電力のため、電源部１１２からの電力の供給を停止させる。
また、動作制御部１３３は、例えば、他端末検出モードＭ３に従って、通信制御部１３２が近距離通信部１０２を介して、他のカメラ２から撮像状態通知信号を受信したか否かを判定するための構成部を起動させる。具体的にいうと、動作制御部１３３は、少なくとも、近距離通信部１０２と通信制御部１３２に対して、近距離通信による信号を受信するよう制御し、電力部１１２からの電力を供給する。また、動作制御部１３３は、動作モード切替部１３１に対して、近距離通信により受信した信号に基づき、撮像の準備処理を実行するよう制御する。
【００３４】
さらに、動作制御部１３３は、例えば、スタンバイモードＭ４に従って、撮像の準備処理を実行する。本実施形態において、動作制御部１３３は、撮像の準備処理として、撮像部１０１を起動する電源起動準備処理と、撮像部１０１が撮像指示により被写体を撮像するための撮像設定準備処理とを実行する。
【００３５】
判定部１３４は、近距離通信部１０２から近距離通信による通信信号が入力された場合、入力した通信信号に基づき、電源がオンされていない状態において撮像の準備処理を実行するか否かを判定する。本実施形態において、撮像の準備処理を実行する条件（以下、準備処理実行条件）として、少なくとも１つの他のカメラ２から撮像状態通知信号を受信することと予め決められている。つまり、判定部１３４は、他のカメラ２から撮像状態通知信号を受信したか否かを判定し、他のカメラ２から撮像状態通知信号を受信した場合、撮像の準備処理を実行すると判定する。一方、他のカメラ２から撮像状態通知信号を受信しない場合、判定部１３４は、撮像の準備処理を実行しないと判定する。
【００３６】
表示制御部１３５は、表示部１０８に対する表示を制御する。本実施形態において、表示制御部１３５は、撮像モードＭ５に従って、ライブビュー映像を表示部１０８に表示させるとともに、撮像した画像を表示部１０８に表示させる。また、表示制御部１３５は、スタンバイモードＭ４に従って、ライブビュー映像を表示部１０８に表示させないように制御する。
【００３７】
撮像モード通知部１３６は、カメラ１の電源がオンされている状態において、撮像モードＭ５に従って動作している場合、近距離通信部１０２から撮像状態通知信号を発信させる。本実施形態において、この撮像状態通知信号は、カメラ１の電源がオンされている状態において撮像モードＭ５に従って動作している動作状態であることを示す信号である。
【００３８】
撮像制御部１３７は、カメラ１の撮像部１０１を制御して、被写体を撮像して、画像データを生成する。例えば、撮像制御部１３７は、ＡＦ（Ａｕｔｏ  ｆｏｃｕｓ）処理を実行し、被写体にピントを合わせる。また、撮像制御部１３７は、撮像部１０１の撮像素子１０１ｂを駆動し、光学系１０１ａに入射する光学像から画像データを生成させる。さらに、撮像制御部１３７は、Ａ/Ｄ変換部１０１ｃに対して、撮像素子１０１ｂから入力する画像データをデジタル信号に変換して画像処理部１０５に出力するよう制御する。
【００３９】
操作部１０４は、例えば、電源スイッチボタン１４１、シャッターボタン１４２、および再生ボタン１４３を備える。なお、操作部１０４は、これ以外にも、操作ボタン、十字キー、あるいはタッチパネルの操作入力手段を含む。この操作部１０４は、ユーザからの操作を受け付け、受け付けた操作を示す操作情報を出力する。なお、電源スイッチボタン１４１は、電源がオンされていない状態において押下されることにより、電源をオンする操作指示を受け付ける。また、電源スイッチボタン１４１は、電源がオンされている状態において押下されることにより、電源をオフする操作指示を受け付ける。シャッターボタン１４２は、電源がオンされている状態において押下されることで、撮像の操作指示を受け付ける。再生ボタン１４３は、押下されることで、カメラ１の記録用メモリ１０７に保存されている画像データを再生する操作指示を受け付ける。
【００４０】
画像処理部１０５は、撮像部１０１から出力される画像データに対して画像処理をし、ワークメモリ１０６に格納する。
ワークメモリ部１０６は、カメラ１の各種処理において一時的に情報を格納する記憶領域である。
記録用メモリ１０７は、ユーザがシャッターボタン１４２を押下したことにより撮像部１０１が撮像した画像データを保存する記憶領域である。
表示部１０８は、例えば、液晶ディスプレイであって、制御部１０３の表示制御部１３５によって表示が制御される。
圧縮処理部１０９は、撮像部１０１によって生成された画像データを、例えば、ＪＰＥＧファイルに圧縮する処理を実行する。
伸長処理部１１０は、記録用メモリ１０７にＪＰＥＧファイルで圧縮して格納されている画像データを、例えばＪＰＥＧ画像に伸長する処理を実行する。この伸長処理部１１０は、ＪＰＥＧ画像に伸長した画像を、ワークメモリ１０６に展開する。
リサイズ処理部１１１は、撮像部１０１によって生成された画像データのサイズを、表示部１０８において表示可能なサイズにリサイズする処理を実行する。
電源部１１２は、電池を備え、電池の電力をカメラ１の全体に供給する。
計時部１１３は、時刻を計時し、計時した時刻を示す時刻情報を出力する。
制御用メモリ１１４は、制御部１０３が各種の制御処理を実行する際に利用する情報を格納する記憶領域である。
【００４１】
次に、図５を参照して、本実施形態に係るカメラ１の動作の一例について説明する。図５は、カメラ１が省電力モードあるいは他端末検出モードで動作する場合の処理フローについて説明するためのフローチャートである。なお、本実施形態において、カメラ１は、ユーザから電源をオフする指示が入力された場合、省電力状態Ｂになることが電源オフ処理設定において、予め決められている。
【００４２】
（ステップＳＴ１）
カメラ１は、例えば、電源スイッチが押下され、ユーザによって電源のオフが指示された状態である。この場合、カメラ１は、電源オフ処理設定に従い、省電力モードＭ２で動作する（省電力状態Ｂ）。つまり、動作モード切替部１３１は、制御用メモリ１１４に登録されている動作モードを、省電力モードＭ２に切り換える。
そして、カメラ１の制御部１０３の動作モード切替部１３１は、省電力モードＭ２に従い、動作モードを他端末検出モードＭ３に切り換えるか否かを判定する。例えば、制御部１０３は、計時部１１３によって計時された時刻を示す時刻情報に基づき、予め決められた他端末検出モードＭ３の実行タイミングに到達したか否かを判定する。なお、他端末検出モードの実行タイミングを示す情報は、制御用メモリ１１４に登録されている。この制御部１０３は、例えば、電源スイッチが押下され省電力モードＭ２となったタイミングから一定時間が経過した場合、あるいは、前回の他端末検出モードＭ３の実行タイミングから一定期間が経過した場合、他端末検出モードＭ３の実行タイミングに到達したと判定する。
そして、カメラ１の制御部１０３の動作モード切替部１３１は、他端末検出モードＭ３の実行タイミングに到達したと判定した場合、動作モードを、省電力モードＭ２から他端末検出モードＭ３に切り換える。つまり、動作モード切替部１３１は、制御用メモリ１１４に登録されている動作モードを、他端末検出モードＭ３に切り換える。これにより、制御部１０３は、他端末検出モードＭ３に従って、以下の処理を実行する。
【００４３】
（ステップＳＴ２）
制御部１０３の通信制御部１３２は、他端末検出モードＭ３に従って、電源部１１２からの電力の供給を受けて、近距離通信部１０２を起動し、近距離通信による通信信号を受信するよう近距離通信部１０２を制御する。近距離通信部１０２は、電源部１１２からの電力の供給を受けて、近距離通信による通信信号の受信待ち状態となる。近距離通信部１０２は、近距離通信による通信信号を受信した場合、受信した通信信号を制御部１０３に出力する。
近距離通信部１０２は、例えば、他のカメラ２の近距離通信の通信エリア内にカメラ１が存在する場合、他のカメラ２から送信される近距離通信による通信信号を受信する。本実施形態において、他のカメラ２は、カメラ２の電源がオンの状態であって動作モードが撮像モードＭ５に設定されている場合、この状態であることを示す撮像状態通知信号を送信する。
【００４４】
（ステップＳＴ３）
制御部１０３の動作モード切替部１３１は、近距離通信部１０２が近距離通信による通信信号を受信したか否かを判定する。この制御部１０３の動作モード切替部１３１は、近距離通信部１０２から近距離通信による通信信号を受信するまで、一定時間、通信信号の受信を待つ。なお、一定時間内に通信信号を受信しない場合、動作モード切替部１３１は、動作モードを、他端末検出モードＭ３から省電力モードＭ２に切り換える。
【００４５】
（ステップＳＴ４）
制御部１０３の判定部１３４は、近距離通信部１０２から近距離通信による通信信号が入力された場合、入力した通信信号に基づき、電源がオンされていない状態において撮像の準備処理を実行するか否かを判定する。本実施形態において、撮像の準備処理を実行する条件（以下、準備処理実行条件）として、少なくとも１つの他のカメラ２から撮像状態通知信号を受信することと予め決められている。
【００４６】
（ステップＳＴ５）
近距離通信部１０２から入力した通信信号が他のカメラ２からの撮像状態通知信号でない場合、制御部１０３の判定部１３４は、撮像の準備処理を実行しないと判定する。そして、制御部１０３の通信制御部１３２は、判定部１３４の判定結果に基づき、近距離通信部１０２に対して近距離通信を終了するよう制御する。
そして、カメラ１の制御部１０３の動作モード切替部１３１は、動作モードを、他端末検出モードＭ３から省電力モードＭ２に切り換える。そして、動作モード切替部１３１は、ステップＳＴ１の処理を実行する。
【００４７】
（ステップＳＴ６）
一方、近距離通信部１０２から入力した通信信号が他のカメラ２からの撮像状態通知信号である場合、制御部１０３の判定部１３４は、撮像の準備処理を実行すると判定する。そして、動作モード切替部１３１が、制御用メモリ１１４に登録されている動作モードを、スタンバイモードＭ４に切り換える。動作制御部１３３は、スタンバイモードＭ４に従って、撮像の準備処理を実行する。つまり、動作制御部１３３は、電源がオンされていない状態において、撮像の準備処理を実行する。本実施形態において、制御部１０３の動作制御部１３３は、この撮像の準備処理として、撮像部１０１を起動する電源起動準備処理と、撮像部１０１が撮像指示により被写体を撮像するための撮像設定準備処理とを実行する。なお、撮像の準備処理については、図６を参照して、以下に説明する。
【００４８】
次に、図６を参照して、本実施形態に係るカメラ１の動作の一例について説明する。図６は、カメラ１がスタンバイモードＭ４で動作する場合の処理フローについて説明するためのフローチャートである。
（ステップＳＴ１１）
カメラ１の制御部１０３の動作制御部１３３は、スタンバイモードＭ４において、ユーザから電源をオンする指示があったか否かを判定する。ここで、ユーザがカメラ１のスイッチボタン１４１を押下した場合、制御部１０３の動作制御部１３３は、ユーザから電源をオンする指示があったと判定する。
【００４９】
（ステップＳＴ１２）
カメラ１の制御部１０３の動作制御部１３３は、ユーザから電源をオンする指示がない場合、近距離通信部１０２が近距離通信による通信信号を受信したか否かを判定する。この制御部１０３の動作制御部１３３は、近距離通信部１０２から近距離通信による通信信号を受信するまで、一定時間、通信信号の受信を待つ。
（ステップＳＴ１３）
制御部１０３の判定部１３４は、近距離通信部１０２から近距離通信による通信信号が入力された場合、入力した通信信号に基づき、スタンバイモードＭ４を終了するか否かを判定する。本実施形態において、制御部１０３の判定部１３４は、一定時間内に予め決められた数以上の撮像状態通知信号を受信しない場合、スタンバイモードＭ４を終了すると判定する。本実施形態では、電波状態が悪い場合等も考慮して、制御部１０３の判定部１３４は、一定期間において、予め決められた数以上の撮像状態通知信号を近距離通信部１０２が受信したか否かを判定する。この場合、制御部１０３の判定部１３４は、一定期間において近距離通信部１０２が受信した撮像状態通知信号が予め決められた数以上である場合、撮像の準備処理を継続すると判定する。そして、カメラ１の制御部１０３の動作制御部１３３は、ステップＳＴ１１に戻って、ユーザから電源をオンする指示があったか否かを判定する。
一方、一定期間において近距離通信部１０２が受信した撮像状態通知信号が予め決められた数未満である場合、制御部１０３の判定部１３４は、撮像の準備処理を終了すると判定し、ステップＳＴ１４に進む。
【００５０】
（ステップＳＴ１４）
カメラ１の制御部１０３の判定部１３４は、近距離通信部１０２から入力した通信信号が他のカメラ２からの撮像状態通知信号でない場合、カメラ１がカメラ２の撮影エリア内に存在していないと判定する。そして、カメラ１の制御部１０３の動作制御部１３３は、判定部１３４の判定結果に基づき、撮像の準備処理を終了する。また、通信制御部１３２は、近距離通信部１０２に対して近距離通信を終了するよう制御する。つまり、カメラ１の制御部１０３の動作制御部１３３は、起動している撮像部１０１と近距離通信部１０２の処理動作を停止させ、電源部１１２から撮像部１０１および近距離通信部１０２への電力供給を停止させる。
そして、カメラ１の制御部１０３の動作モード切替部１３１は、動作モードを、スタンバイモードＭ４から省電力モードＭ２に切り替える。
【００５１】
（ステップＳＴ１５）
また、ステップＳＴ１１において、一定時間内に、ユーザから電源をオンする指示があった場合、カメラ１の制御部１０３の動作制御部１３３は、カメラ１の電源をオンの状態にする。例えば、制御部１０３の表示制御部１３５は、表示部１０８にカメラビューの画像データに基づく画像を表示させる。また、制御部１０３の動作制御部１３３は、操作部１０４に設定してある操作入力の受け付け禁止設定を解除する。
（ステップＳＴ１６）
そして、制御部１０３の動作制御部１３３は、カメラ１の電源オンが指示された場合に撮像モードＭ５を実行することが、制御用メモリ１１４に登録されているか否かを判定する。本実施形態において、電源スイッチ１４１だけが押下された場合、動作制御部１３３が、撮像モードＭ５に従ってカメラ１を起動させることが予め決められている。なお、本実施の形態に係るカメラ１では、再生ボタン１４３と同時に電源スイッチ１４１が押下された場合、再生モードでカメラ１を起動させることが予め決められている。
（ステップＳＴ１７）
電源スイッチ１４１だけが押下され、撮像モードＭ５が登録されていると判定した場合、制御部１０３の撮像モード通知部１３６は、近距離通信部１０２から撮像状態通知信号を発信させる。
そして、撮像制御部１３７は、撮像モードＭ５に従って、撮像処理を実行する。なお、撮像処理については、図７を参照して、以下に説明する。
【００５２】
次に、図７を参照して、本実施形態に係るカメラ１の動作の一例について説明する。図７は、カメラ１が撮像モードＭ５で動作する場合の処理フローについて説明するためのフローチャートである。
（ステップＳＴ２１）
カメラ１の制御部１０３の撮像制御部１３７は、ユーザからの指示に従い、撮像モードの処理を実行する。例えば、ユーザがシャッターボタン１４２を押下した場合、撮像部１０１は、撮像制御部１３７の制御により、ＡＦ（Ａｕｔｏ  ｆｏｃｕｓ）処理を実行し、被写体にピントを合わせる。そして、撮像部１０１の撮像素子１０１ｂは、光学系１０１ａに入射する光学像から画像データを生成させる。そして、Ａ/Ｄ変換部１０１ｃは、撮像素子１０１ｂから入力する画像データをデジタル信号に変換して画像処理部１０５に出力する。画像処理部１０５は、画像処理した画像データをワークメモリ１０６に出力する。
【００５３】
（ステップＳＴ２２）
そして、カメラ１の制御部１０３の動作モード切替部１３１は、ユーザから電源をオフする指示があったか否かを判定する。ここで、ユーザがカメラ１のスイッチボタン１４１を押下した場合、制御部１０３の動作モード切替部１３１は、ユーザから電源をオフする指示があったと判定する。
なお、ユーザがカメラ１のスイッチボタン１４１を押下した場合、動作モード切替部１３１は、近距離通信部１０２が近距離通信による通信信号を受信したか否かを判定するものであってもよい。この場合、電源オフが指示された場合、動作モードの切替判定を実行することを示す設定が登録されている。
この制御部１０３の動作モード切替部１３１は、近距離通信部１０２から近距離通信による通信信号を受信するまで、一定時間、通信信号の受信を待つ。一定時間内に通信信号を受信した場合、動作モード切替部１３１は、動作モードを、スタンバイモードＭ４に切り換える。一方、一定時間内に通信信号を受信しない場合、動作モード切替部１３１は、動作モードを、省電力モードＭ２に切り換える。
（ステップＳＴ２３）
制御部１０３の動作モード切替部１３１は、ユーザから電源をオフする指示があったと判定した場合、動作モードを、スタンバイモードＭ４に切り換える。そして、制御部１０３の表示制御部１３５は、表示部１０８への電力供給を停止させ、カメラビューの画像の表示を終了させる。また、制御部１０３の動作制御部１３３は、操作部１０４に対して、操作入力の受け付け禁止を設定する。
（ステップＳＴ２４）
そして、制御部１０３の撮像モード通知部１３６は、近距離通信部１０２に対して、撮像状態通知信号の発信を停止させる。
【００５４】
本実施形態において説明した通り、本願発明の一実施形態に係る携帯端末１は、電源がオンされていない状態において、スタンバイ状態Ｄで待機するか否かを判定する。近距離通信が可能な近くの端末が撮像モードＭ５で起動している場合、撮像エリア内であると判定してスタンバイ状態Ｄで待機する。一方、撮像エリア内でないと判定した場合、スタンバイ状態Ｄよりも消費電力の少ない省電力状態Ｂで待機する。これにより、電源がオンされていない状態における電力の消費を抑えることができる。
また、スタンバイ状態Ｄにおいて、表示部１０８へのライブビュー画像の出力を禁止することにより、スタンバイ状態Ｄにおける消費電力を抑えることができる。
さらに、スタンバイ状態Ｄにおいて、撮像の準備処理を実行し、撮像部１０１を起動させておくことにより、電源がオンされた場合に、ユーザを一定時間（数秒）待たせることなく、すぐに撮像を開始することができる。
【００５５】
また、観光地の撮影スポットでは、複数のカメラが撮影モードＭ５で起動している可能性が高く、また、同一の他のカメラ２が継続して撮像モードＭ５で起動していなくても、カメラ１，２とも異なる他のカメラが撮像モードＭ５で起動していれば、撮像状態通知信号を発信している。よって、少なくとも１台の他のカメラが撮像モードＭ５で起動していれば、カメラ１は、その他のカメラの近距離通信が可能な範囲内に存在していることにより、スタンバイ状態Ｄで待機することができる。
さらに、本発明に係る携帯端末（カメラ）は、例えば、それぞれ異なる複数の他のカメラから撮像状態通知信号を予め決められた数以上受信した場合、他のカメラの近距離通信の通信エリア内に入っていると判定するものであってもよい。この場合、周りに複数の他のカメラが存在し、かつ、これら他のカメラが撮像モードＭ５で起動している場合、本発明に係る携帯端末（カメラ）はスタンバイ状態Ｄで待機することができる。なお、本発明に係る携帯端末（カメラ）は、例えば、他のカメラに割り当てられた固有の識別番号等を含む撮像状態通知信号を受信することにより、異なる他のカメラのそれぞれから送信される撮像状態通知信号であると判定することができる。これにより、本発明に係る携帯端末（カメラ）は、より多くの人が撮像したいと考える撮影スポットにおいてスタンバイ状態Ｄで待機することができるため、電源をオンする操作を受け付けていない状態において撮像ができる状態で待機するために使用する電力の消費をさらに抑えることができる。
【００５６】
なお、本発明は、上述の構成に限られず、例えば、他の通信機器２は、カメラに限られず、例えば、観光地に設置されたサイネージ等の情報発信装置であってもよい。この場合、予め決められた観光スポットにユーザが到着した場合、携帯するカメラ１が省電力状態Ｂからスタンバイ状態Ｄに切り換えられる。これにより、ユーザの利便性が向上する。
【００５７】
また、本実施形態において、ユーザからは電源をオンする指示がなされていない状態とは、カメラ１の電源をオンする指示がなされていない状態であると説明した。しかし、本願発明はこれに限られず、例えば、携帯端末１がカメラ付き携帯電話であった場合、ユーザからは電源をオンする指示がなされていない状態とは、カメラ機能部を起動していない状態をいう。よって、携帯電話の電源がオンされ、通話機能部を起動している状態であって、カメラ機能部を起動していない状態も、ユーザからは電源をオンする指示がなされていない状態に含まれる。また、携帯端末１がカメラ付きスマートフォンであった場合、スマートフォンの電源がオンされ、インターネット接続機能部を起動している状態であって、カメラ機能部を起動していない状態も、ユーザからは電源をオンする指示がなされていない状態に含まれる。
【００５８】
また、本実施の形態に係るカメラ１およびカメラ２は、内部にコンピュータシステムを有している。そして、動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
【００５９】
また、各ステップを実現するためのプログラムをコンピュータ読み取り可能な記録媒体に記録して、また、この機能を実現するためのプログラムをコンピュータ読み取り可能な記録媒体に記録して、この記録媒体に記録されたプログラムをコンピュータシステムに読み込ませ、実行することにより、検出対象物の形状情報の推定値を算出する処理を行ってもよい。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【符号の説明】
【００６１】
１…携帯端末（カメラ）、
２…他の通信装置（他のカメラ）、
１０１…撮像部、
１０２…近距離通信部、
１０３…制御部、  
１０４…操作部、
１０５…画像処理部、
１０６…ワークメモリ部、
１０７…記録用メモリ、
１０８…表示部、
１０９…圧縮処理部、
１１０…伸長処理部、
１１１…リサイズ処理部、
１１２…電源部、
１１３…計時部、
１１４…制御用メモリ
【図１】
2013021642.tif 000003
【図２】
2013021642.tif 000004
【図３】
2013021642.tif 000005
【図４】
2013021642.tif 000006
【図５】
2013021642.tif 000007
【図６】
2013021642.tif 000008
【図７】
2013021642.tif 000009